【手続補正書】
【提出日】令和2年5月1日(2020.5.1)
【手続補正１】
【補正対象書類名】明細書
【補正対象項目名】０１１９
【補正方法】変更
【補正の内容】
【０１１９】
別途定義されない限り、本開示で使用されるすべての技術用語および科学用語は、特許請求される主題が属する当業者によって一般に理解されるものと同じ意味を有する。本開示において使用される用語は、特定の実施形態のみを説明するためのものであり、限定することを意図するものではない。開示および添付の特許請求の範囲で使用される場合、単数形「ａ」、「ａｎ」、および「ｔｈｅ」は、文脈上別途明示されていない限り、複数形も同様に含むことが意図される。
以下、本発明の好ましい実施形態を項分け記載する。
実施形態１
一般式（Ｉ）を有するコポリマーであって、
【化７５】
2019515107.tif 000001
式中、
Ｒ１およびＲ３が、各々独立して、二価Ｃ４〜Ｃ７脂肪族基、および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、ここで、
Ｒ１およびＲ３の前記二価Ｃ４〜Ｃ７ヘテロ脂肪族基が、独立してＯ、Ｎ、およびＳから選択される１個または２個のヘテロ原子を含み、
Ｒ１またはＲ３中のヘテロ原子の最大数が２であり、
Ｒ２が、Ｑ１およびＱ２から選択され、
【化７６】
2019515107.tif 000002
式中、
Ｒ４およびＲ５が、各々独立して、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ４およびＲ５の前記二価Ｃ４〜Ｃ７ヘテロ脂肪族基が、独立してＯ、Ｎ、およびＳから選択される１個または２個のヘテロ原子を含み、
Ｒ４またはＲ５中のヘテロ原子の最大数が２であり、
ｘが、０．１〜０．９から選択されるモル分率範囲であり、
ｙが、０．１〜０．９から選択されるモル分率範囲であり、かつ
ｚが、０〜０．８から選択されるモル分率範囲であり、ここで、ｘ、ｙ、およびｚの合計が１に等しい、コポリマー。
実施形態２
Ｒ１が、二価Ｃ４〜Ｃ６直鎖脂肪族基および二価Ｃ４〜Ｃ６直鎖ヘテロ脂肪族基から選択される、実施形態１に記載のコポリマー。
実施形態３
Ｒ１が、二価Ｃ４〜Ｃ６直鎖ヘテロ脂肪族基から選択される、実施形態１または実施形態２に記載のコポリマー。
実施形態４
Ｒ４およびＲ５が、各々独立して、二価Ｃ４〜Ｃ６直鎖脂肪族基および二価Ｃ４〜Ｃ６直鎖ヘテロ脂肪族基から選択される、実施形態１〜３のいずれか１つに記載のコポリマー。
実施形態５
Ｒ４およびＲ５が、各々独立して、二価Ｃ４〜Ｃ６直鎖脂肪族基から選択される、実施形態１〜４のいずれか１つに記載のコポリマー。
実施形態６
Ｒ４およびＲ５が、１つ以上のＣ１〜Ｃ３脂肪族基で置換されている、実施形態１〜５のいずれか１つに記載のコポリマー。
実施形態７
Ｒ４およびＲ５が、各々独立して、二価Ｃ４〜Ｃ６直鎖脂肪族基から選択され、
Ｒ４およびＲ５が、１つ以上のＣ１〜Ｃ３脂肪族基で置換されている、実施形態１〜６のいずれか１つに記載のコポリマー。
実施形態８
Ｒ４およびＲ５が、独立してＯ、Ｎ、およびＳから選択されるヘテロ原子で置換されている、実施形態１〜７のいずれか１つに記載のコポリマー。
実施形態９
Ｒ２が、Ｑ１であり、
Ｒ４が、二価Ｃ４〜Ｃ６直鎖脂肪族基および二価Ｃ４〜Ｃ６直鎖ヘテロ脂肪族基から選択される、実施形態１〜４のいずれか１つに記載のコポリマー。
実施形態１０
Ｒ２が、Ｑ２であり、
Ｒ５が、二価Ｃ４〜Ｃ６直鎖脂肪族基および二価Ｃ４〜Ｃ６直鎖ヘテロ脂肪族基から選択される、実施形態１〜４のいずれか１つに記載のコポリマー。
実施形態１１
Ｒ２が、Ｑ１であり、
Ｒ４が、二価Ｃ４〜Ｃ６直鎖脂肪族基から選択される、実施形態１〜４のいずれか１つに記載のコポリマー。
実施形態１２
Ｒ２が、Ｑ２であり、
Ｒ５が、二価Ｃ４〜Ｃ６直鎖脂肪族基から選択される、実施形態１〜４のいずれか１つに記載のコポリマー。
実施形態１３
Ｒ２が、Ｑ２であり、
Ｒ５が、二価Ｃ４〜Ｃ６直鎖脂肪族基および二価Ｃ４〜Ｃ６直鎖ヘテロ脂肪族基から選択され、
Ｒ５が、独立してＯ、Ｎ、およびＳから選択される１個のヘテロ原子で置換されている、実施形態１〜４のいずれか１つに記載のコポリマー。
実施形態１４
Ｒ３が、二価Ｃ４〜Ｃ６直鎖脂肪族基および二価Ｃ４〜Ｃ６直鎖ヘテロ脂肪族基から選択される、実施形態１〜１３のいずれか１つに記載のコポリマー。
実施形態１５
Ｒ１が、二価Ｃ４〜Ｃ６直鎖脂肪族基および二価Ｃ４〜Ｃ６直鎖ヘテロ脂肪族基から選択され、
Ｒ３が、二価Ｃ４〜Ｃ６直鎖脂肪族基および二価Ｃ４〜Ｃ６直鎖ヘテロ脂肪族基から選択され、
Ｒ４およびＲ５が、各々独立して、二価Ｃ４〜Ｃ６直鎖脂肪族基および二価Ｃ４〜Ｃ６直鎖ヘテロ脂肪族基から選択され、
ｘが、０．２５〜０．７５のモル分率範囲であり、
ｙが、０．２５〜０．７５のモル分率範囲であり、
ｚが、０．２５〜０．５のモル分率範囲である、実施形態１に記載のコポリマー。
実施形態１６
ｘが、０．２５〜０．７５のモル分率範囲であり、
ｙが、０．２５〜０．７５のモル分率範囲であり、
ｚが、０．２５〜０．５のモル分率範囲である、実施形態１〜１５のいずれか１つに記載のコポリマー。
実施形態１７
ｚが、０より大きいモル分率である、実施形態１〜１６のいずれか１つに記載のコポリマー。
実施形態１８
ｘおよびｙが、等モル分率である、実施形態１〜１７のいずれか１つに記載のコポリマー。
実施形態１９
ｘ、ｙ、およびｚが、等モル分率である、実施形態１〜１８のいずれか１つに記載のコポリマー。
実施形態２０
前記コポリマーの粘度平均分子量が、５００ｇ／ｍｏｌ〜１，０００，０００ｇ／ｍｏｌの範囲である、実施形態１〜１９のいずれか１つに記載のコポリマー。
実施形態２１
前記コポリマーの前記粘度平均分子量が、５００ｇ／ｍｏｌ〜２０，０００ｇ／ｍｏｌの範囲である、実施形態１〜２０のいずれか１つに記載のコポリマー。
実施形態２２
包接水和物を形成することができる流体中の包接水和物の形成を阻害するための方法であって、前記方法が、
前記包接水和物を形成するのに適した条件下で、前記流体を、一般式（Ｉ）の少なくとも１つのコポリマーと接触させることを含み、
【化７７】
2019515107.tif 000003
式中、
Ｒ１およびＲ３が、各々独立して、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ１およびＲ３の前記二価Ｃ４〜Ｃ７ヘテロ脂肪族基が、独立してＯ、Ｎ、およびＳから選択される１個または２個のヘテロ原子を含み、
Ｒ１またはＲ３中のヘテロ原子の最大数が２であり、
Ｒ２が、Ｑ１およびＱ２から選択され、
【化７８】
2019515107.tif 000004
ここで、
Ｒ４およびＲ５が、各々独立して、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ４およびＲ５の前記二価Ｃ４〜Ｃ７ヘテロ脂肪族基が、独立してＯ、Ｎ、およびＳから選択される１個または２個のヘテロ原子を含み、
Ｒ４またはＲ５中のヘテロ原子の最大数が２であり、
ｘが、０．１〜０．９から選択されるモル分率範囲であり、
ｙが、０．１〜０．９から選択されるモル分率範囲であり、かつ
ｚが、０〜０．８から選択されるモル分率範囲であり、ｘ、ｙ、およびｚの合計が１に等しい、方法。
実施形態２３
前記流体が、水ホスト分子と、メタン、エタン、プロパン、ブタン、ペンタン、二酸化炭素、硫化水素、窒素、またはそれらの組み合わせから選択される天然ガスゲスト分子と、を含む、実施形態２２に記載の方法。
実施形態２４
前記流体が、酸性ガスゲスト分子を含む、実施形態２２または実施形態２３に記載の方法。
実施形態２５
前記流体が、二酸化炭素、硫化水素、窒素、またはそれらの組み合わせから選択される天然ガスゲスト分子を含む、実施形態２２〜２４のいずれか１つに記載の方法。
実施形態２６
前記流体が、メタン、エタン、プロパン、ブタン、二酸化炭素、硫化水素、および窒素ガスゲスト分子を含む、実施形態２２〜２５のいずれか１つに記載の方法。
実施形態２７
前記包接水和物が、ＳＩ包接水和物、ＳＩＩ包接水和物、ＳＨ包接水和物、またはそれらの組み合わせを含み、
前記接触が、前記ＳＩ包接水和物、前記ＳＩＩ包接水和物、前記ＳＨ包接水和物、またはそれらの組み合わせの形成を阻害する、実施形態２２〜２６のいずれか１つに記載の方法。
実施形態２８
前記接触が、０℃〜４．０℃の第１の過冷却温度で前記包接水和物の形成を阻害する、実施形態２２〜２７のいずれか１つに記載の方法。
実施形態２９
前記接触が、４．０℃〜１０．０℃の第２の過冷却温度で前記包接水和物の形成を阻害する、実施形態２２〜２８のいずれか１つに記載の方法。
実施形態３０
前記接触が、４０バール〜２００バールの圧力範囲で前記包接水和物の形成を阻害する、実施形態２２〜２９のいずれか１つに記載の方法。
実施形態３１
前記接触が、７０バール〜１００バールの圧力範囲で前記包接水和物の形成を阻害する、実施形態２２〜３０のいずれか１つに記載の方法。
実施形態３２
前記流体を、式（Ｉ）の少なくとも１つのコポリマーと、腐食防止剤または溶媒のうちの少なくとも１つとを含む組成物と接触させる、実施形態２２〜３１のいずれか１つに記載の方法。
実施形態３３
前記流体が、ブラインである、実施形態２２〜３２のいずれか１つに記載の方法。
実施形態３４
Ｒ１が、二価直鎖Ｃ４〜Ｃ６脂肪族基および二価直鎖Ｃ４〜Ｃ６ヘテロ脂肪族基から選択され、
Ｒ２が、Ｑ２であり、
Ｒ５が、二価Ｃ４〜Ｃ６直鎖脂肪族基および二価Ｃ４〜Ｃ６直鎖ヘテロ脂肪族基から選択される、実施形態２２〜３３のいずれか１つに記載の方法。
実施形態３５
Ｒ１が、二価直鎖Ｃ４〜Ｃ６脂肪族基および二価直鎖Ｃ４〜Ｃ６ヘテロ脂肪族基から選択され、
Ｒ２が、Ｑ１であり、
Ｒ４が、二価Ｃ４〜Ｃ５直鎖脂肪族基および二価Ｃ４〜Ｃ５直鎖ヘテロ脂肪族基から選択される、実施形態２２〜３３のいずれか１つに記載の方法。
実施形態３６
Ｒ１が、二価直鎖Ｃ４〜Ｃ６脂肪族基および二価直鎖Ｃ４〜Ｃ６ヘテロ脂肪族基から選択され、
Ｒ４およびＲ５が、各々独立して、二価Ｃ４〜Ｃ６直鎖脂肪族基および二価Ｃ４〜Ｃ６直鎖ヘテロ脂肪族基から選択され、
ｘが、０．８のモル分率であり、
ｙが、０．２のモル分率である、実施形態２２〜３３のいずれか１つに記載の方法。
実施形態３７
Ｒ１が、二価Ｃ４〜Ｃ５直鎖脂肪族基および二価Ｃ４〜Ｃ５直鎖ヘテロ脂肪族基から選択される、実施形態２２〜３６のいずれか１つに記載の方法。
実施形態３８
Ｒ４およびＲ５が、各々独立して、二価Ｃ４〜Ｃ６直鎖脂肪族基および二価Ｃ４〜Ｃ６直鎖ヘテロ脂肪族基から選択される、実施形態２２〜３３のいずれか１つに記載の方法。
実施形態３９
Ｒ１が、二価Ｃ４〜Ｃ６直鎖脂肪族基および二価Ｃ４〜Ｃ６直鎖ヘテロ脂肪族基から選択され、
Ｒ３が、二価Ｃ４〜Ｃ６直鎖脂肪族基および二価Ｃ４〜Ｃ６直鎖ヘテロ脂肪族基から選択され、
Ｒ４およびＲ５が、各々独立して、二価Ｃ４〜Ｃ６直鎖脂肪族基および二価Ｃ４〜Ｃ６直鎖ヘテロ脂肪族基から選択され、
ｘが、０．２５〜０．７５のモル分率範囲であり、
ｙが、０．２５〜０．７５のモル分率範囲であり、かつ
ｚが、０より大きいモル分率である、実施形態２２〜３３のいずれか１つに記載の方法。
実施形態４０
ｘおよびｙが、等モル分率である、実施形態２２〜３９のいずれか１つに記載の方法。
実施形態４１
ｘ、ｙ、およびｚが、等モル分率である、実施形態２２〜４０のいずれか１つに記載の方法。
実施形態４２
前記少なくとも１つのコポリマーの前記粘度平均分子量が、５００ｇ／ｍｏｌ〜２０，０００ｇ／ｍｏｌの範囲である、実施形態２２〜４１のいずれか１つに記載の方法。
実施形態４３
前記流体が、前記少なくとも１つのコポリマーとタイインプラットホームで接触される、実施形態２２〜４２のいずれか１つに記載の方法。
実施形態４４
前記流体が、パイプラインを流れる、実施形態２２〜４３のいずれか１つに記載の方法。
【手続補正２】
【補正対象書類名】特許請求の範囲
【補正対象項目名】全文
【補正方法】変更
【補正の内容】
【特許請求の範囲】
【請求項１】
一般式（Ｉ）を有するターポリマーであって、
【化１】
2019515107.tif 000005
式中、
Ｒ１およびＲ３が、各々独立して、二価Ｃ４〜Ｃ７脂肪族基、および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、ここで、
Ｒ１およびＲ３の前記二価Ｃ４〜Ｃ７ヘテロ脂肪族基が、独立してＯ、Ｎ、およびＳから選択される１個または２個のヘテロ原子を含み、
Ｒ１またはＲ３中のヘテロ原子の最大数が２であり、
Ｒ２が、Ｑ１であり、
【化２】
2019515107.tif 000006
式中、
Ｒ４が、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ４の前記二価Ｃ４〜Ｃ７ヘテロ脂肪族基が、独立してＯ、Ｎ、およびＳから選択される１個または２個のヘテロ原子を含み、
Ｒ４中のヘテロ原子の最大数が２であり、
ｘが、０．１〜０．９から選択されるモル分率範囲であり、
ｙが、０．１〜０．９から選択されるモル分率範囲であり、かつ
ｚが、０超〜０．８から選択されるモル分率範囲であり、ここで、ｘ、ｙ、およびｚの合計が１に等しい、ターポリマー。
【請求項２】
Ｒ１が、二価Ｃ４〜Ｃ６直鎖ヘテロ脂肪族基から選択される、請求項１に記載のターポリマー。
【請求項３】
Ｒ４が、二価Ｃ４〜Ｃ６直鎖脂肪族基から選択され、
Ｒ４が、１つ以上のＣ１〜Ｃ３脂肪族基で置換されている、請求項１または２に記載のターポリマー。
【請求項４】
Ｒ４が、独立してＯ、Ｎ、およびＳから選択されるヘテロ原子で置換されている、請求項１〜３のいずれか１項に記載のターポリマー。
【請求項５】
Ｒ２が、Ｑ１であり、
Ｒ４が、二価Ｃ４〜Ｃ６直鎖脂肪族基および二価Ｃ４〜Ｃ６直鎖ヘテロ脂肪族基から選択される、請求項１〜４のいずれか１項に記載のターポリマー。
【請求項６】
Ｒ３が、二価Ｃ４〜Ｃ６直鎖脂肪族基および二価Ｃ４〜Ｃ６直鎖ヘテロ脂肪族基から選択される、請求項１〜５のいずれか１項に記載のターポリマー。
【請求項７】
ｘが、０．２５〜０．７５のモル分率範囲であり、
ｙが、０．２５〜０．７５のモル分率範囲であり、
ｚが、０．２５〜０．５のモル分率範囲である、請求項１〜６のいずれか１項に記載のターポリマー。
【請求項８】
【化３】
2019515107.tif 000007
が、
【化４】
2019515107.tif 000008
から選択される、請求項１〜７のいずれか１項に記載のターポリマー。
【請求項９】
包接水和物を形成することができる流体中の包接水和物の形成を阻害するための方法であって、前記方法が、
前記包接水和物を形成するのに適した条件下で、前記流体を、一般式（Ｉ）の少なくとも１つのターポリマーと接触させることを含み、
【化５】
2019515107.tif 000009
式中、
Ｒ１およびＲ３が、各々独立して、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ１およびＲ３の前記二価Ｃ４〜Ｃ７ヘテロ脂肪族基が、独立してＯ、Ｎ、およびＳから選択される１個または２個のヘテロ原子を含み、
Ｒ１またはＲ３中のヘテロ原子の最大数が２であり、
Ｒ２が、Ｑ１であり、
【化６】
2019515107.tif 000010
ここで、
Ｒ４が、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ４の前記二価Ｃ４〜Ｃ７ヘテロ脂肪族基が、独立してＯ、Ｎ、およびＳから選択される１個または２個のヘテロ原子を含み、
Ｒ４中のヘテロ原子の最大数が２であり、
ｘが、０．１〜０．９から選択されるモル分率範囲であり、
ｙが、０．１〜０．９から選択されるモル分率範囲であり、かつ
ｚが、０超〜０．８から選択されるモル分率範囲であり、ｘ、ｙ、およびｚの合計が１に等しい、方法。
【請求項１０】
前記流体が、水ホスト分子と、メタン、エタン、プロパン、ブタン、ペンタン、二酸化炭素、硫化水素、窒素、またはそれらの組み合わせから選択される天然ガスゲスト分子と、を含む、請求項９に記載の方法。
【請求項１１】
前記接触が、０℃〜４．０℃の第１の過冷却温度および４．０℃〜１０．０℃の第２の過冷却温度で前記包接水和物の形成を阻害する、請求項９または１０に記載の方法。
【請求項１２】
前記接触が、４０バール〜２００バールの圧力範囲で前記包接水和物の形成を阻害する、請求項９〜１１のいずれか１項に記載の方法。
【請求項１３】
前記流体を、式（Ｉ）の少なくとも１つのターポリマーと、腐食防止剤または溶媒のうちの少なくとも１つとを含む組成物と接触させる、請求項９〜１２のいずれか１項に記載の方法。
【請求項１４】
前記ターポリマーが、請求項２〜８のいずれか１項に定義されている、請求項９〜１３のいずれか１項に記載の方法。
【請求項１５】
前記流体が、前記少なくとも１つのターポリマーとタイインプラットホームで接触される、請求項９〜１３のいずれか１項に記載の方法。